(57)【特許請求の範囲】
【請求項１】
建築板材を建築下地の表面に取り付けるための建築板材の取付装置であって、
前記建築下地に固定される固定部材と、前記固定部材に一端が回動可能に取り付けられ、前記建築板材を前記建築下地の表面で保持する回動保持部材と、前記回動保持部材の回動を抑止する回動抑止機構とで構成されており、
前記回動保持部材は、前記建築下地の表面に位置決めされた前記建築板材の表面に当接する板材当接部を有しており、前記回動抑止機構は、前記板材当接部を前記建築板材の表面に当接させた状態で前記回動保持部材の回動を抑止するように形成されており、
前記回動抑止機構は、前記固定部材と前記回動保持部材との間に架設された弾性体を有し、前記弾性体の弾性力により、前記板材当接部を前記建築板材の表面に当接するように形成されていることを特徴とする建築板材の取付装置。
【請求項２】
前記固定部材および前記回動保持部材の一方または双方に照明装置が設けられていることを特徴とする請求項１に記載の建築板材の取付装置。
【発明の詳細な説明】
【技術分野】
【０００１】
本発明は、壁材や天井材などの建築板材を下地板や軽量鉄骨などの建築下地に取り付けるための建築板材の取付装置に関する。
【背景技術】
【０００２】
従来、建築板材（壁材、天井材等）を建築下地（下地板、軽量鉄骨等）に取り付ける際には、建築板材と建築下地とを、釘やステープル等の保持具または接着剤により固定するようにしていた（非特許文献１参照）。しかし、釘やステープル等の保持具を用いる場合には、片手で建築板材を保持しながら保持具を打ち込む等しなければならないため、施工が面倒であり、接着剤を単独で用いる場合には、初期接着力に優れた専用の接着剤が必要なため、施工コストが高くなりすぎるという問題があった。
【０００３】
そこで、近年では、建築板材を建築下地に簡単かつ安価に取り付けるための技術が種々開発されており、その一例として、特許文献１に記載された「天井装置」を挙げることができる。この天井装置１は、図１０に示すように、天井材（ｉ）を建築下地（ｉｉ）に取り付けるためのものであり、建築下地（ｉｉ）から垂下された板状の竪片２と、竪片２の下端から水平方向に延びる連結片３と、連結片３の端部に形成された略円柱状の軸部４と、軸部４に回動可能に取り付けられた天井材載置片５とで構成されている。そして、天井材載置片５は、長尺板状の本体部５ａと、本体部５ａの幅方向一方端部から本体部５ａと直交する方向に延びる天井材載置部６と、本体部５ａの幅方向他方端部から本体部５ａと直交する方向に延びるストッパー部７と、本体部５ａの幅方向中央部に設けられた被嵌部８とで構成されている。
【０００４】
天井材（ｉ）を建築下地（ｉｉ）の表面に取り付ける際には、図１１に示すように、まず、天井材載置片５を回動させることによって、天井材載置部６を連結片３の上方において竪片２側へ逃がし、次に、天井材（ｉ）を天井材載置片５よりも上方まで持ち上げる。そして、ストッパー部７が連結片３の下面に当接するまで天井材載置片５を回動させ、その後、図１０に示すように、天井材（ｉ）を天井材載置部６に載置する。
【特許文献１】実開昭５５−４２７７５号公報
【非特許文献１】「おさまり詳細図集２コンクリート造・鉄骨造の仕上編」、理工学社、１９７３年、ｐ．１４１
【発明の開示】
【発明が解決しようとする課題】
【０００５】
従来の天井装置１によれば、天井材（ｉ）を建築下地（ｉｉ）の表面に取り付ける際に、片手で天井材（ｉ）を保持しながら保持具を打ち込む等しなくてもよいので施工性を向上できるとともに、専用の接着剤が不要なので施工コストを軽減できる。
【０００６】
しかしながら、このような天井装置１を用いて天井材（ｉ）を施工するには、連結片３の上側に、天井材載置部６を一時的に逃がすための空間Ｓ（図１１）が必要となるため、この空間の分だけ居住空間が狭小化されるという問題点があった。
【０００７】
それゆえに、本発明の主たる課題は、施工性を向上できるとともに、居住空間の狭小化を防止できる建築板材用の取付装置を提供することである。
【課題を解決するための手段】
【０００８】
請求項１に記載した発明は、「建築板材１４を建築下地１２の表面に取り付けるための建築板材の取付装置１０であって、建築下地１２に固定される固定部材１６と、固定部材１６に一端が回動可能に取り付けられ、建築板材１４を建築下地１２の表面で保持する回動保持部材１８と、回動保持部材１８の回動を抑止する回動抑止機構２０とで構成されており、回動保持部材１８は、建築下地１２の表面に位置決めされた建築板材１４の表面に当接する板材当接部４０を有しており、回動抑止機構２０は、板材当接部４０を建築板材１４の表面に当接させた状態で回動保持部材１８の回動を抑止するように形成されており、回動抑止機構２０は、固定部材１６と回動保持部材１８との間に架設された弾性体５０を有し、弾性体５０の弾性力により、板材当接部４０を建築板材１４の表面に当接するように形成されていることを特徴とする建築板材の取付装置１０。」である。
【０００９】
この発明に係る取付装置１０を使用する際には、建築下地１２に固定部材１６を固定し、建築板材１４を建築下地１２の表面に位置決めし、板材当接部４０を建築板材１４の表面に当接させた状態で、回動保持部材１８の回動を回動抑止機構２０により抑止する。建築板材１４を、建築下地１２の表面に位置決めする際には、板材当接部４０を逃がす必要があるが、この発明では、回動保持部材１８の一端が固定部材１６に回動可能に取り付けられているので、建築下地１２から離れる方向へ板材当接部４０を逃がすことができる。
【００１０】
つまり、従来の天井装置１（図１０）では、天井材載置片５の幅方向中央部に設けられた被嵌部８が連結片３に対して回動可能に取り付けられており、幅方向他方端部に形成されたストッパー部７が連結片３の下面に当接していたので、天井材載置部６を建築下地から離れる方向へ逃がすことができなかったが、この発明ではそのようなことはない。
【００１４】
また、この発明によれば、固定部材１６と回動保持部材１８との間に架設された弾性体５０の弾性力により、回動保持部材１８の回動を抑止するとともに、板材当接部４０を建築板材１４の表面に当接させることができる。
【００１５】
請求項２に記載した発明は、請求項１に記載された取付装置１０において、「固定部材１６および回動保持部材１８の一方または双方に照明装置６６が設けられていること」を特徴とする。
【００１６】
この発明は、照明装置６６によって装飾的機能を取付装置１０に付加したものである。
【発明の効果】
【００１７】
本発明によれば、建築板材を建築下地の表面に取り付ける際に、片手で建築板材を保持しながら保持具を打ち込む等しなくてもよいので施工性を向上できる。また、従来のように、板材当接部を一時的に逃がすための空間Ｓ（図１１）を確保する必要がないので、居住空間の狭小化を防ぐことができる。
【００１８】
さらに、請求項２に記載の取付装置によれば、取付装置に装飾的機能を付加することができるので、デザイン性に優れた居住空間を提供することができる。
【発明を実施するための最良の形態】
【００１９】
以下、本発明を図面に従って説明する。図１は、本発明の第1実施例に係る取付装置１０Ａを示す斜視図である。この取付装置１０Ａは、図２に示すように、下地板もしくは軽量鉄骨下地などの建築下地１２に、壁材や天井材などの建築板材１４を取り付けるためのものであり、固定部材１６と、回動保持部材１８と、回動抑止機構２０とを備えている。
【００２０】
固定部材１６は、ＡＢＳ（アクリロニトリル・ブタジエン・スチレン）樹脂等のような合成樹脂によって形成された部材であり、取付ネジ２１（図２）によって建築下地１２に固定される長尺板状のベース２２と、ベース２２のほぼ中央部から下向きに延びて形成された固定側係合部２４と、回動保持部材１８を取り付けるための回動保持部材取付用板材２５とで一体的に形成されている。なお、ベース２２の所定位置には、取付ネジ挿通用孔２８が設けられている。
【００２１】
固定側係合部２４は、高さの異なる２枚の係合用板材３０を所定の間隔を隔てて配設することによって構成されており、２枚の係合用板材３０の対向する側面には、複数の係合突条が高さ方向に並んで鋸歯状に形成されている。高さが高い方の係合用板材３０は、回動保持部材１８と当接してその回動を抑止するストッパーとして機能し、この高さによって回動保持部材１８の固定位置が決められる。
【００２２】
回動保持部材取付用板材２５は、高さが低い方の係合用板材３０の下端からベース２２と平行に延びる板材であり、回動保持部材取付用板材２５の端部には、固定部材１６に回動保持部材１８を回動可能に取り付けるために、軸３４を挿通する孔３６が設けられている。なお、回動保持部材取付用板材２５とベース２２との間隔は、建築板材１４の端部を挿入する空間Ａを確保するために、建築板材１４の厚さよりもやや大きめの寸法に設定されている。
【００２３】
回動保持部材１８は、固定部材１６に軸３４を介して回動可能に取り付けられたものであり、ＡＢＳ樹脂等のような合成樹脂によって形成されている。回動保持部材１８は、長尺板状の基部３８を有しており、基部３８の幅方向一方端部には、建築板材１４に当接される当たり部４１を有する板材当接部４０が形成されている。また、基部３８の幅方向中央部には、板材当接部４０と同じ側において、基部３８の主面に対して直交する方向へ延びて板状の可動側係合部４２が形成されており、可動側係合部４２の両面には、係合用板材３０の係合突条に係合される鋸歯状の係合突条が形成されている。さらに、基部３８の幅方向他方端部には、固定部材取付部４４が形成されており、固定部材取付部４４の端部には、軸３４を挿通するための孔４６（図示せず）が設けられている。
【００２４】
回動抑止機構２０は、固定部材１６に設けられた固定側係合部２４と回動保持部材１８に設けられた可動側係合部４２とで構成されており、可動側係合部４２が固定側係合部２４に、鋸歯状の係合突条において係合される。これにより、回動保持部材１８が固定部材１６に対して固定されるとともに、回動保持部材１８の逆方向への回動が禁止される。
【００２５】
第１実施例に係る取付装置１０を用いて建築板材１４を取り付ける手順について、図３により説明する。なお、図３では、２個の取付装置１０Ａを用いて、建築板材１４を取り付ける場合を示している。取付装置１０Ａの取付位置、および取付装置１０Ａの必要本数は、建築板材１４を施工したい天井面などの広さと、使用する建築板材１４の幅との関係などから決定される。
【００２６】
まず、建築下地１２の所定位置に、取付ネジ２１を用いて取付装置１０を螺着する。そして、建築板材１４を斜めに保持し、建築板材１４の一端を斜め下から押し込むようにして、一方（図３における右側）の取付装置１０Ａの空間Ａに挿入する（図３（ａ）参照）。そして、建築板材１４の他端部を水平に持ち上げ、先に建築下地１２に螺着しておいた他方（図３における左側）の取付装置１０Ａのベース２２の下面に建築板材１４を位置決めする（図３（ｂ）参照）。そして、他方の取付装置１０Ａの可動側係合部４２を固定側係合部２４に嵌合させる。
【００２７】
この状態において、板材当接部４０は建築板材１４の表面に当接されているとともに、回動保持部材１８の回動は抑止されている（図３（ｃ）参照）。そして、建築板材１４が板材当接部４０とベース２２とで挟持され、建築下地１２に取り付けられている。
【００２８】
このように、建築板材１４の取り付けに際し、片手で建築板材１４を保持しつつ保持具を打ち込む等しなくてもよいので施工性を向上できる。また、建築板材１４を、ベース２２の下面に位置決めする際に、板材当接部４０を逃がす必要があるが、この発明では、回動保持部材１８の一端が固定部材１６に回動可能に取り付けられているので、建築下地１２から離れる方向へ板材当接部４０を逃がすことができる。このため、建築下地１２側に板材当接部４０を逃がすための空間が不要となり、居住空間の狭小化を防ぐことができる。
【００２９】
さらに、空間Ａが確保されているので、建築板材１４の一端を空間Ａに挿入することにより、取付装置１０Ａの回動抑止機構２０を操作することなく、建築板材１４の一端を保持することができるので、建築板材１４の施工性を向上できる。
【００３０】
本発明の第２実施例に係る取付装置１０Ｂは、図４に示すように、取付装置１０Ａの変形例であり、回動抑止機構２０を構成する固定側係合部２４および可動側係合部４２の形状が取付装置１０Ａと異なる。
【００３１】
取付装置１０Ｂの固定側係合部２４は、ベース２２のほぼ中央部から下向きに延びる板状の係合用板材３０と、係合用板材３０の下端からベース２２と平行に延びる板状の係合板材４８と、係合用板材３０の中央部からベース２２と平行に延びる板状の回動保持部材取付用板材２５とによって形成されている。また、取付装置１０Ｂの可動側係合部４２の端部は鈎状に形成されており、係合板材４８の端部に、鈎状に形成された可動側係合部４２が係止されることにより、回動保持部材１８の回動が抑止される。
【００３２】
本発明の第３実施例に係る取付装置１０Ｃは、図５および６に示すように、回動抑止機構２０が固定部材１６と回動保持部材１８との間に架設された弾性体５０を有することを特徴とするものであり、固定部材１６と、回動保持部材１８と、弾性体５０を有する回動抑止機構２０とを備えている。
【００３３】
固定部材１６は、建築下地１２に固定されるＡＢＳ製の部材であって、ベース２２と弾性体取付部材５２と回動保持部材取付用板材２５とで一体的に形成されている。
【００３４】
ベース２２は、取付ネジ２１により建築下地１２に固定される長尺の板状部材であり、ベース２２の所定位置に取付ネジ挿通用孔２８が設けられている。
【００３５】
弾性体取付部材５２は、ベース２２のほぼ中央下面から下方に延びる長尺の板状部材である垂直部５４と、垂直部５４の端部に設けられた半円状の凹部であって、弾性体５０の一端を取り付けるための固定側弾性体取付部５６とで形成されている。
【００３６】
回動保持部材取付用板材２５は、垂直部５４の端部からベース２２と平行に延びる「く」字状の板状部材であり、回動保持部材取付用板材２５の端部には、回動保持部材１８を取り付けるための半円状の凸部５８が形成されている。なお、回動保持部材取付用板材２５とベース２２との間隔は、建築板材１４の端部を挿入する空間（空間Ａ）を確保するために、建築板材１４の厚さとほぼ同じ寸法に設定されている。
【００３７】
回動保持部材１８は、固定部材１６に回動可能に取り付けられているＡＢＳ製の部材であって、長尺の板状部材である基部３８と、基部３８の幅方向一端部から基部３８と直交する向きに延びる板状の板材当接部４０と、基部３８の幅方向他端部から板材当接部４０と平行に延びる板状の固定部材取付部４４とで形成されている。そして、板状当接部４０の端部には、建築板材１４に当接する当たり部４１が形成されている。また、固定部材取付部４４の端部には、固定部材１６の凸部５８に嵌合される凹部６２が形成されている。さらに、当たり部４１の固定部材取付部４４と向き合う面には、弾性体５０の他端を取り付けるための半円状の凹部である可動側弾性体取付部６０が形成されている。
【００３８】
弾性体５０は、固定部材１６と回動保持部材１８との間に架設された金属製の板バネであり、弾性体５０の一端は、固定側弾性体取付部５６に取り付けられており、弾性体５０の他端は、可動側弾性体取付部６０に取り付けられている。
【００３９】
回動抑止機構２０は、固定部材１６に設けられた固定側弾性体取付部５６と、回動保持部材１８に設けられた可動側弾性体取付部６０と、弾性体５０とで構成されている。図５では、弾性体５０が上向きに湾曲した状態で取り付けられており、板材当接部４０は建築板材１４の表面から隔離された状態（解除状態）となっている。なお、図５に示すように、板材当接部４０の当たり部４１が建築板材１４の表面に当接する回動保持部材１８の回動方向を「Ｘ方向」と記載し、当たり部４１が建築板材１４の表面から隔離する回動保持部材１８の回動方向を「Ｙ方向」と記載する。
【００４０】
図５に示す状態では、弾性体５０の弾性力により、回動保持部材１８をＹ方向に回動させる力が付勢されているので、回動保持部材１８がＸ方向に不所望に動くことがない。次に、作業者が回動保持部材１８をＸ方向に回動させていくと、弾性体５０の曲率が小さくなっていき、弾性体５０の曲率がある程度まで小さくなると、弾性体５０が下向きに湾曲した状態（図６）となる。この状態では、弾性体５０の弾性力により、回動保持部材１８をＸ方向に回動させる力が付勢されているので、当たり部４１が建築板材１４の表面を押圧する。これにより、建築板材１４を板材当接部４０とベース２２とで挟持して、建築下地１２に取り付けることができる。
【００４１】
本発明の第４実施例に係る取付装置１０Ｄは、図７に示すように、取付装置１０Ｃの変形例であり、主に回動抑止機構２０を構成する弾性体５０の形状が取付装置１０Ｃと異なる。
【００４２】
回動抑止機構２０は、図７および８に示すように、固定部材１６に設けられた固定側弾性体取付部５６と、板材当接部４０の中央部から板材当接部４０に直交して延びる板状の可動側弾性体取付部材６４と、固定部材１６と回動保持部材１８との間に架設された弾性体５０とで構成されている。また、可動側弾性体取付部材６４の端部には、可動側弾性体取付部６０が設けられている。なお、弾性体５０の一端は、可動側弾性体取付部６０に取り付けられており、弾性体５０の他端は、固定側弾性体取付部５６に取り付けられている。本実施例では、弾性体５０として、常温でゴム状の弾性を有する高分子物質であるエラストマが使用されている。さらに、弾性体５０は、一端が固定側弾性体取付部５６に取り付けられている固定側弾性体５０ａと、一端が可動側弾性体取付部６０に取り付けられている可動側弾性体５０ｂと、一端が固定側弾性体５０ａの他端と接続されており、他端が可動側弾性体５０ｂの他端と接続されている中央部弾性体５０ｃとで形成されている。
【００４３】
図７では、板材当接部４０が建築板材１４の表面から隔離された状態（解除状態）となっている。この状態において、固定側弾性体５０ａと、中央部弾性体５０ｃとの接合部イ（図７中（イ）部）は、図７において右向きに凸となるＶ字状になっており、可動側弾性体５０ｂと、中央部弾性体５０ｃとの接合部ロ（図７中（ロ）部）は、図７において左向きに凸となるＶ字状になっている。一方、板材当接部４０が建築板材１４の表面に当接された状態（当接状態）では、図８示すように、接合部イおよびロにおけるＶ字状の凸の向きが解除状態（図７）と反対になる。このように、本実施例における解除状態と当接状態とを切り替えるためには、作業者が回動保持部材１８を回動させて、接合部イおよびロにおけるＶ字状の向きを切り替えなければならない。換言すれば、解除状態（図７）または当接状態（図８）にある回動保持部材１８は、外部から力が付勢されない限り、不所望に当接状態あるいは解除状態に切り替わることがない。これにより、取付装置１０Ｄを当接状態とすることで、建築板材１４を板材当接部４０とベース２２とで挟持して、建築下地１２に取り付けることができる。
【００４４】
本発明の第５実施例に係る取付装置１０Ｅは、図９に示すように、固定部材１６と回動保持部材１８と照明装置６６とで構成されている。固定部材１６は、ベース２２と、角パイプ状に形成された中央部６８と、中央部６８の両端下部に取り付けられた２枚の係合用板材３０とで形成されている。そして、固定部材１６には、端部が鈎状に形成された可動側係合部４２を有する２つの回動保持部材１８が回動可能に取り付けられている。また、中央部６８には、取付装置１０Ｅに装飾的機能を付加するための照明装置６６が下向きに取り付けられている。なお、本実施例では、照明装置６６に発光ダイオード（以下、「ＬＥＤ」と記載する。）が用いられている。
【００４５】
取付装置１０Ｅに照明装置６６を取り付けることにより、取付装置１０Ｅに装飾的機能を付加することができるので、デザイン性に優れた居住空間を提供することができる。さらに、照明装置６６を発光させるための電気配線（図示せず）を中央部６８の内部空間に配設することにより電気配線が隠蔽されるので、建築板材１４施工後の見栄えを良くすることができる。
【００４６】
なお、本実施例では、照明装置６６が固定部材１６に取り付けられているが、照明装置６６は、回動保持部材１８に取り付けられてもよく、固定部材１６および回動保持部材１８に取り付けられてもよい。また、照明装置６６の発光色も、所望の色を用いることができる。
【００４７】
本発明に係る取付装置１０は、取付ネジ２１により建築下地１２に取り付けられているが、ネジの他に、釘、両面粘着テープ、接着剤などを用いてもよい。また、取付ネジ挿通用孔２８に、あらかじめ皿もみ加工を施しておくことにより、空間Ａに取付ネジ２１の頭が出ず、建築板材１４を空間Ａに挿入したときに、取付ネジ２１の干渉を防ぐことができる。
【００４８】
建築板材１４をより強固に建築下地１２に取り付ける場合には、取付装置１０により建築板材１４を取り付けた後、接着剤などを用いてもよい。
【００４９】
建築下地１２には、合板、ＭＤＦなどの木質板材、石膏ボード、ケイ酸カルシウムボードなどを用いることができるが、取付装置１０を固定するための釘やネジなどを保持する力の高い面材が好ましい。
【００５０】
建築板材１４には、ロックウール板、火山性ガラス質複層板、インシュレーションボード、石膏ボード、合板、ＭＤＦ、ケイ酸カルシウムボード、合成樹脂板、金属板、無垢木材板などを用いることができる。さらに、建築板材１４には、必要に応じて表面に化粧シート、塗装などによる化粧を施しておいてもよい。
【００５１】
実施例では、本発明に係る取付装置１０を天井施工に用いる場合について説明したが、取付装置１０を垂直面に配設された建築下地に取り付けることにより、壁材、腰壁材などへの建築板材１４の取付に用いることもできる。
【００５２】
取付装置１０の材質はＡＢＳ樹脂に限られず、アルミニウム合金などの金属、ポリプロピレン樹脂、ポリエチレン樹脂、塩化ビニル樹脂などの各種樹脂を用いてもよい。なお、取付装置１０が長尺となる場合には、適度なしなりを持つ樹脂を用いる方が施工時に扱い易いので好適である。また、取付装置１０は、建築板材１４を施工する面に応じた長さであれば長尺でなくてもよい。
【００５３】
また、固定部材１６や回動保持部材１８を樹脂で形成する場合、その内部や表面にアルミ合金などの金属板を付加することにより、取付装置１０の耐火性を向上させることができるとともに、各部材の強度を高めることができる。
【００５４】
また、取付装置１０の色は、居住空間のデザインに応じた色を用いることができる。しかし、取付装置１０に白色系などの明色を使うと、取付装置１０と建築板材１４との間に生じる隙間の影が目立ってしまい、外観上、見苦しいものとなる場合がある。そこで、このような影を目立たなくするため、建築板材１４の表面と当接する板材当接部４０の端面に、あらかじめアクリルや樹脂製の透明部材を取り付けておくことができる。これにより、光が透明部材を照射しても影を生じさせることがなく、建築板材１４を取付装置１０に取り付けた際に、建築板材１４の表面と板材当接部４０との間に生じる影を目立たなくして、仕上がりの美感を向上させることができる。なお、この透明部材は、無色透明でも、有色透明でもよい。
【００５５】
さらに、弾性体５０として第３実施例では板バネが、第４実施例ではエラストマが用いられているが、ゴムやコイルバネなどを弾性体５０に用いてもよい。
【図面の簡単な説明】
【００５６】
【図１】本発明の第１実施例に係る取付装置を示す斜視図である。
【図２】本発明の第１実施例に係る取付装置を用いて建築下地に建築板材を取り付けた状態を示す断面図である。
【図３】本発明の第１実施例に係る取付装置を用いた、建築板材の取付方法を示す断面図である。
【図４】本発明の第２実施例に係る取付装置を用いて建築下地に建築板材を取り付けた状態を示す断面図である。
【図５】本発明の第３実施例に係る取付装置を示す断面図である。
【図６】本発明の第３実施例に係る取付装置を用いて建築下地に建築板材を取り付けた状態を示す断面図である。
【図７】本発明の第４実施例に係る取付装置を示す断面図である。
【図８】本発明の第４実施例に係る取付装置を用いて建築下地に建築板材を取り付けた状態を示す断面図である。
【図９】本発明の第５実施例に係る取付装置を用いて建築下地に建築板材を取り付けた状態を示す断面図である。
【図１０】従来の天井装置を用いて建築下地に天井材を取り付けた状態を示す断面図である。
【図１１】従来の天井装置を用いた、天井材の取付方法を示す断面図である。
【符号の説明】
【００５７】
１０…取付装置
１２…建築下地
１４…建築板材
１６…固定部材
１８…回動保持部材
２０…回動抑止機構
２４…固定側係合部
４０…板材当接部
４２…可動側係合部
５０…弾性体
【図１】
0004486919.tif 000002
【図２】
0004486919.tif 000003
【図３】
0004486919.tif 000004
【図４】
0004486919.tif 000005
【図５】
0004486919.tif 000006
【図６】
0004486919.tif 000007
【図７】
0004486919.tif 000008
【図８】
0004486919.tif 000009
【図９】
0004486919.tif 000010
【図１０】
0004486919.tif 000011
【図１１】
0004486919.tif 000012